(57)【要約】  本発明の目的は、製品パッケージボックスを機械的に形成するための方法および装置である。本発明によれば、製品パッケージボックス（５）が、ボックス形成装置（７）を用いて平らに折り畳まれた、製品パッケージボックス（５）の正しい形状へと機械的に開かれ、本質的に一体の底部パネル（４ａ）が取り付けられる管状スリーブ（２ａ）から形成される。ピッキングシステムから来るオンラインデータに基づいて、各製品パッケージボックス（５）について、その高さがオンラインデータに最も適切に対応するスリーブ（２ａ）がスリーブ束（２）から選択されるか、または、適切な高さのスリーブ（２ａ）がスリーブブランク（１０ａ）から切り出される。
2018538183.tif 000002
【特許請求の範囲】
【請求項１】
ピッキングシステムにおいて製品パッケージボックス（５）を機械的に形成するための方法であって、製品パッケージボックス（５）が、平らに折り畳まれている管状スリーブ（２ａ）からボックス形成装置（７）を用いて形成され、前記スリーブは、機械的に開かれて前記製品パッケージボックス（５）の正確な形状にされ、本質的に一体の底部パネル（４ａ）が固定される方法において、前記ピッキングシステムから来るオンラインデータに基づいて、各製品パッケージボックス（５）について、スリーブ束（２）からスリーブ（２ａ）が選択され、前記スリーブの高さは、前記オンラインデータに最も適切に対応し、または、適切な高さのスリーブ（２ａ）がスリーブブランク（１０ａ）から切り出されることを特徴とする、方法。
【請求項２】
製品パッケージボックス（５）を形成するために、異なる高さの製品パッケージボックス（５）に対応する予め作製されたスリーブ（２ａ）が、パッケージすべき製品の高さに依存してそれぞれの特定の注文について使用されることを特徴とする、請求項１に記載の方法。
【請求項３】
製品パッケージボックス（５）を形成するために、本質的に平坦に折り畳まれ、２つ以上の製品パッケージボックス（５）の高さに対応する長いスリーブブランク（１０ａ）が使用され、前記スリーブブランクから、前記製品パッケージボックス（５）の正確な高さに本質的に正確に対応するスリーブ（２ａ）が、前記スリーブ（２ａ）に底部パネル（４ａ）を固定する前に、それぞれの特定の注文について切断することによって形成されることを特徴とする、請求項１に記載の方法。
【請求項４】
前に切断されたスリーブブランク（１０ａ）の最後のスリーブ片（１０ｂ）が、新しいスリーブブランク（１０ａ）を別個のスリーブ（２ａ）に切断する前に、切断すべき前記新しいスリーブブランク（１０ａ）の始まりに固定されること、および、前記最後のスリーブ片（１０ｂ）が、テーピングによって、粘着紙を用いて、接着によって、ステープル止めによって、または、何らかの他の適切な締結方法によって、前記新しいスリーブブランク（１０ａ）の始まりに固定されることを特徴とする、請求項３に記載の方法。
【請求項５】
スリーブ（２ａ）の材料として段ボールが使用され、前記スリーブ（２ａ）の前記材料よりも少なくとも本質的により有利な材料から作成されている、フラップ（１２ａ、１２ｂ）が設けられた底部パネル（４ａ）および／または蓋パネル（４ｂ）が、前記スリーブが開かれて前記ボックスのフレームとして機能するボックスブランク（３）にされたときに前記スリーブ（２ａ）に固定されること、ならびに、屈曲されて前記ボックスブランク（３）の上に締結されるべき前記底部パネル（４ａ）と前記蓋パネル（４ｂ）の両方の前記フラップ（１２ａ、１２ｂ）が、前記フラップ（１２ａ、１２ｂ）を前記ボックスブランク（３）に固定する前に、前記底部パネル（４ａ）および／または前記蓋パネル（４ｂ）の中心部分よりも薄くなるよう圧縮されることを特徴とする、請求項１〜４のいずれか一項に記載の方法。
【請求項６】
前記底部パネル（４ａ）および／または前記蓋パネル（４ｂ）は、テーピングによって、粘着紙を用いて、接着によって、ステープル止めによって、または、何らかの他の適切な締結方法を用いて、開かれてボックスブランク（３）にされている前記スリーブ（２ａ）に固定されることを特徴とする、請求項１〜５のいずれか一項に記載の方法。
【請求項７】
引裂帯（１３）が、前記引裂帯（１３）の一方の端部が本質的に前記製品パッケージボックス（５）の前記フレームの１つのコーナから外に出て、前記蓋パネル（４ｂ）の前記折り畳まれている締結フラップ（１２ｂ）が前記引裂帯（１３）の上に折り畳まれ、前記製品パッケージボックス（５）に締結されるように、前記製品パッケージボックス（５）の上縁に固定され、かつ／または、引裂帯（１３）が、前記引裂帯（１３）の前記一方の端部が本質的に前記製品パッケージボックス（５）の前記フレームの１つのコーナから外に出て、前記底部パネル（４ａ）の前記折り畳まれている締結フラップ（１２ａ）が前記引裂帯（１３）の上に折り畳まれ、前記製品パッケージボックス（５）に締結されるように、前記製品パッケージボックス（５）の底端に締結されること、ならびに、前記引裂帯（１３）が、前記蓋パネルおよび／または前記底部パネル（４ｂ、４ａ）の３つの締結フラップ（１２ａ、１２ｂ）または４つすべての締結フラップ（１２ａ、１２ｂ）のいずれかと、前記製品パッケージボックス（５）の前記フレーム（３）との間に配置されていることを特徴とする、請求項１〜６のいずれか一項に記載の方法。
【請求項８】
ピッキングシステムにおいて底部を設けられている製品パッケージボックス（５）を形成するための装置であって、少なくともボックス形成装置（７）と、前記ボックス形成装置（７）内に材料を供給するための供給ライン（８）と、出力ライン（９）と、製品パッケージボックス（５）を形成するための複数のアクチュエータとを備える装置において、各製品パッケージボックス（５）について、当該装置は、前記ピッキングシステムから来るオンラインデータに基づいて、高さが前記オンラインデータに最も適切に対応するスリーブ（２ａ）をスリーブ束（２）から選択し、または、スリーブブランク（１０ａ）から切り出された適切な高さのスリーブ（２ａ）を形成するように構成されていることを特徴とする、装置。
【請求項９】
前記装置は、平らに折り畳まれ、ボックスフレームとして機能する管状スリーブ（２ａ）を規則的な形状のボックスブランク（３）に開くためのアクチュエータ手段と、前記開かれているボックスブランク（３）に底部パネル（４ａ）を固定するためのアクチュエータ手段と、底部パネル（４ａ）を設けられている製品パッケージボックス（５）を前記ボックス形成装置（７）から搬出するためのアクチュエータ手段（９）とを設けられているボックス形成ライン（１）を備えることを特徴とする、請求項８に記載の装置。
【請求項１０】
１つまたは複数のスリーブ束（２）のためのスペースが前記供給ライン（８）に接続しており、前記スリーブ束（２）のそれぞれには、異なる高さの製品パッケージボックス（５）に対応する、平らに折り畳まれたスリーブ（２ａ）があることを特徴とする、請求項８または９に記載の装置。
【請求項１１】
少なくとも１つのスリーブブランク束（１０）のためのスペースが前記供給ライン（８）に接続しており、前記スリーブブランク束には、注文に従って複数の前記注文に固有のスリーブ（２ａ）に切断するための２つ以上の製品パッケージボックス（５）の高さに対応する、折り畳まれたスリーブブランク（１０ａ）があること、および、前記装置が、注文固有のスリーブ（２ａ）をスリーブブランク（１０ａ）から切り出すための切断装置と、前記切り出されたスリーブ（２ａ）を前記ボックス形成ライン（１）に移送するためのアクチュエータ手段とを備えることを特徴とする、請求項８または９に記載の装置。
【請求項１２】
前記装置が、前記前に切断されたスリーブブランク（１０ａ）の最後のスリーブ片（１０ｂ）を、切断されるべき新しいスリーブブランク（１０ａ）の始まりに、前記新しいスリーブブランク（１０ａ）を別個のスリーブ（２ａ）に切断する前に固定するためのアクチュエータ手段を備えることを特徴とする、請求項１１に記載の装置。
【請求項１３】
製品パッケージボックスのための、例えば束にされたまたは積み重ねられた底部パネル（４ａ）のためのスペース（６）が前記ボックス形成ライン（１）に接続していることを特徴とする、請求項８〜１２のいずれか一項に記載の装置。
【請求項１４】
前記装置には、注文固有のデータを受信するための手段が設けられ、前記手段は、前記製品パッケージボックス（５）を形成するのに必要な、高さなどの特性に関する、連続注文データおよび／または制御データ、すなわちオンラインデータを、前記ピッキングシステムから受信するように構成されていることを特徴とする、請求項８〜１３のいずれか一項に記載の装置。
【請求項１５】
請求項１に記載の方法でおよび請求項１１に記載の装置によって作製される製品パッケージボックス（５）であって、少なくとも、ボックスの壁を形成するフレーム（３）と、前記フレーム（３）に固定される底部パネル（４ａ）とを備える製品パッケージボックスにおいて、前記底部パネル（４ａ）の側部および端部には、その厚さが前記底部パネル（４ａ）の中心部分の厚さよりも小さい、折り畳まれている締結フラップ（１２ａ）があることを特徴とする、製品パッケージボックス（５）。
【請求項１６】
前記製品パッケージボックス（５）には、前記底部パネル（４ａ）と本質的に同様の蓋パネル（４ｂ）が設けられ、前記蓋パネルは、その側部および端部に折り畳まれた締結フラップ（１２ｂ）を有し、前記締結フラップの厚さは、前記蓋パネル（４ｂ）の中心部分の厚さよりも小さいことを特徴とする、請求項１５に記載の製品パッケージボックス（５）。
【請求項１７】
前記製品パッケージボックス（５）の上縁に、前記蓋パネル（４ｂ）を前記ボックスフレーム（３）から部分的にまたは完全に分離するための、前記蓋パネル（４ｂ）の３つまたは４つすべての前記締結フラップ（１２ｂ）と前記ボックスの前記フレーム（３）との間の引裂帯（１３）があり、および／または、前記製品パッケージボックス（５）の底縁に、前記底部パネル（４ａ）を前記ボックスフレーム（３）から部分的にまたは完全に分離するための、前記底部パネル（４ａ）の３つまたは４つすべての前記締結フラップ（１２ａ）と前記ボックスの前記フレーム（３）との間の引裂帯（１３）があることを特徴とする、請求項１５または１６に記載の製品パッケージボックス（５）。
【発明の詳細な説明】
【技術分野】
【０００１】
本発明の目的は、請求項１の前文に記載の製品パッケージボックスを形成するための方法、および、請求項８の前文に記載の製品パッケージボックスを形成するための装置、ならびにまた、請求項１５の前文に記載の製品パッケージボックスである。
【０００２】
本発明による方法および装置、以下、より簡潔に、本発明による解決策は、例えば、出荷部門のピッキングシステムに合わせて、各々の特定の注文に対して、機械的に、好ましくはリサイクル可能な繊維材料から作製された製品パッケージボックスに関する。この場合、材料の１つの好ましい選択肢は、段ボールおよび／または何らかの他の適切なリサイクル可能繊維材料である。
【背景技術】
【０００３】
当該技術分野で知られていることによれば、製品パッケージボックスは、一般に、ボックスブランクから作製され、その最初および最後の側面が、それらの垂直縁部においてともに接着され、ブランクは、底部および蓋を形成するフラップも含む。これらの解決策では、例えば、段ボール圧延機がボックスの原材料を製造し、原材料は別個の処理段階に送達され、当該処理段階において、受け取られた原材料を正しいサイズおよび形状のパネルに切り出し、ボックスブランクに必要な折り目を付け、ボックスの形状にブランクを折り畳み、それらを接着してほぼ完成したボックスにすることによって、ボックスブランクが作製され、最終的に平らにされ、順に積み重ねて束ねられ、束として次の処理段階、すなわち、例えば製品ピッキングおよび出荷段階における最終的な製品パッケージボックスの形成に送達される。
【０００４】
当該技術分野で知られている最も広く使用されている製品パッケージボックスの１つは、コードＦＥＦＣＯ  ０２０１によっても知られている４フラップの規則的なスロット付き容器である。この解決策における問題点は、予め組み立てられた製品パッケージボックスが、蓋構造および底部構造の大部分が重なった段ボールの二重層を有することである。コードＦＥＦＣＯ０２０３によるボックスのようないくつかのケースでは、順に重なった段ボールのさらに４つの層が存在する。このような材料の重なりの結果として、より多くの段ボールが必要とされ、これにより、製品パッケージボックスがより高価になり、同時にボックスの内部空間の有用な容積も減少する。もう１つの欠点は、パッケージされる製品または製品バッチに関して可能な限り正確な高さの製品パッケージボックスを最適化して製造する柔軟性が従来技術にはないことであり、この柔軟性のなさはパッケージ材料コストおよび輸送コストを上昇させる。さらに、従来技術による接着またはテープ式の蓋構造の欠点は、蓋を開くためにナイフまたははさみなどの工具が必要とされることが多いことである。
【発明の概要】
【発明が解決しようとする課題】
【０００５】
本発明の目的は、上述の欠点を排除し、安価で、信頼性が高く、迅速で、柔軟性があり、費用効率が高い、製品パッケージボックスを作製する方法および装置を提供することである。本発明の別の目的は、費用のかかるパッケージスペースを占める、重なり合う材料層の量が最小であるか、または、まったくない製品パッケージボックスを形成することができる方法または装置を提供することである。さらなる目的は、可能な限りスペースをとらず、別個の工具なしで容易に開けることができる蓋を有する製品パッケージボックスを提供することである。本発明による方法は、請求項１の特徴記載部に開示されていることを特徴とする。これに対応して、本発明による装置は、請求項８の特徴記載部に開示されていることを特徴とし、本発明による製品パッケージボックスは、請求項１５の特徴記載部に開示されていることを特徴とする。本発明の他の実施形態は、他の請求項に開示されていることを特徴とする。
【課題を解決するための手段】
【０００６】
製品パッケージボックスを機械的に形成するための本発明による方法では、製品パッケージボックスは、ボックス形成装置を用いて平らに折り畳まれた管状スリーブから形成され、当該スリーブは、製品パッケージボックスの正しい形状へと機械的に開かれ、当該スリーブに、本質的に一体の底部パネルが取り付けられる。ピッキングシステムから来るオンラインデータに基づいて、各製品パッケージボックスについて、スリーブがスリーブ束から選択され、そのスリーブの高さはオンラインデータに最も適切に対応するか、または、適切な高さのスリーブがスリーブブランクから切り出される。底部パネルおよび蓋パネルの折り畳み可能な締結フラップをボックスフレームに固定する前に平坦にすることにより、外形寸法に関して最適化された幾何学的にまっすぐなパッケージボックスが提供される。本発明の１つの好ましい実施形態による解決策では、引裂帯が、製品パッケージボックスのフレームの上縁に接着され、引裂帯は、フレームの上に折り畳まれ、例えば接着によってフレームに固定される、蓋パネルのフラップの下に留まる。パッケージボックスの１つのコーナの一部分上の引裂帯の端部は、本質的に外に出て見えており、それによって、パッケージボックスを開くときに指でそれをよく把持することができる。
【０００７】
ピッキングシステムにおいて底部を設けられている製品パッケージボックスを形成するための本発明による装置は、少なくともボックス形成装置と、ボックス形成装置内に材料を供給するための供給ラインと、出力ラインと、製品パッケージボックスを形成するための複数のアクチュエータとを備える。各製品パッケージボックスに対して、装置は、ピッキングシステムから来るオンラインデータに基づいて、その高さがオンラインデータに最も適切に対応するスリーブをスリーブ束から選択し、または、スリーブブランクから適切な高さに切り出されたスリーブを形成するように構成されている。
【０００８】
好ましくは、底部を設けられている製品パッケージボックスを形成するための本発明による装置は、少なくとも、ボックスフレームとして機能し、平らに折り畳まれて本質的に規則的な形状のボックスブランクにされているスリーブを開くためのアクチュエータ手段と、開かれているボックスブランクに底部パネルを固定するためのアクチュエータ手段と、底部パネルを設けられている製品パッケージボックスをボックス形成装置から搬出するためのアクチュエータ手段とを設けられているボックス形成ラインを備える。
【０００９】
１つの有利な解決策は、異なる高さの製品パッケージボックスに対応する予め作製されたスリーブが、オンラインデータに基づいて、またパッケージすべき製品の高さに応じて製品パッケージボックスを形成するために使用されることである。別の有利な解決策は、平坦なスリーブブランクからオンラインデータに基づいて、適切な高さのスリーブが最適な方法で切り出されることであり、当該スリーブブランクの各々から、異なる高さのスリーブを切り出すことができる。
【００１０】
とりわけ、本発明による方法および装置、ならびに製品パッケージボックスの利点の１つは、これらは、本発明による解決策として他の語でより簡単に記載されているが、底部構造および蓋構造を単純にし、パッケージのフレームよりも薄くて安価な材料を使用することができるため、本発明による解決策によってパッケージ材料が節約されることである。別の利点は、薄く単純な底部構造および蓋構造が、パッケージされる製品自体から、製品パッケージ内の貴重なスペースを奪わないことである。さらに、この解決策により、製品にとって可能な限り正しい高さの製品パッケージを柔軟に製造することが可能になり、それによって、材料費および輸送費を大幅に節約することができるという利点もある。さらなる利点は、送達された製品パッケージボックスが、ナイフまたははさみのような別個の工具なしで、引裂帯によってきれいにかつ安全に開くことができることである。
【００１１】
以下では、添付の簡略化された図面を参照してその実施形態のいくつかの例を用いて本発明をより詳細に説明する。
【図面の簡単な説明】
【００１２】
【図１】側面上方から斜めに見た、底部で閉じた製品パッケージボックスを作製するための、本発明による解決策に使用される１つの基本原理を示す。
【図２】側面上方から斜めに見た、本発明による１つの装置であって、当該装置によって、複数の高さの製品パッケージボックスがさらなる処理のために作製される、装置の簡略化図を示す。
【図３】異なる高さの製品パッケージボックスを作製するために、本発明による解決策において使用される、側面上方から斜めに見た１つの方法を示す。
【図４】異なる高さの製品パッケージボックスを作製するために、本発明による解決策において使用される、側面上方から斜めに見た別の方法を示す。
【図５】図４に示された方法に対する本発明による１つの追加の特性を示す。
【図６】側面上方から斜めに見た、本発明による１つの製品パッケージボックスであって、当該ボックスの上に製品パッケージボックスのための蓋構造が形成されている、製品パッケージボックスの簡略部分拡大図を示す。
【図７】側面上方から斜めに見た、工具を用いずに蓋を開くために引裂帯が蓋構造上に形成されている、本発明による別の製品パッケージボックスの簡略部分拡大図を示す。
【図８】工具を用いずに引裂帯によって開かれた後の、側面上方から斜めに見た、本発明による製品パッケージボックスの簡略図を示す。
【発明を実施するための形態】
【００１３】
図１は、本発明による１つの方法の異なる段階の簡略図を示し、当該方法は、例えば図２の装置を用いて実現可能である。本発明による装置は、例えば、ピッキング倉庫および／または出荷部門に関連して、またはそこに近接して配置され、それによって、必要な各注文特有の製品パッケージボックス５は迅速に形成可能であり、任意の所与の時点において梱包に使用することができる。
【００１４】
折り畳み接着または何らかの他の方法によって、例えば、段ボールから、および／または他の何らかの適切なリサイクル可能な繊維材料から作製され、管状に締結され、ボックスフレームとして機能し、次いで平らに折り畳まれるスリーブ２ａであって、当該スリーブは、底部パネルまたは蓋パネルではなく、作製されるべき製品パッケージボックスの側壁および短壁を備える、スリーブ２ａが、この方法の第１の段階ｓ１において、好ましくはスリーブの束またはスタック２から、装置に属するボックス形成装置７のボックス形成ライン１の開始端へと供給され、束またはスタックは、ボックス形成ライン１の開始端に近接して配置されている。この場合、個々の平らに折り畳まれたスリーブ２ａがスリーブ束２から分離され、このスリーブはボックス形成ライン１上の次の段階ｓ２で開かれて、ボックスのフレームを形成するボックスブランク３になって、スリーブのサイズおよび形状によって可能にされる製品パッケージボックスの規則的な形状になり、ライン上で以降に移送される。個々のスリーブ２ａは、例えば、平らに折り畳まれたコードＦＥＦＣＯ０５０１によるフレームである。
【００１５】
例えば、製品パッケージボックスの束ねられたまたは積み重ねられた底部パネル４ａのためのスペース６も、ボックス形成ライン１に関連して設けられ、ならびに、ボックスブランク締結段階においてボックスブランク３に底部パネル４ａを固定するためのアクチュエータも設けられる。この場合、本方法の次の段階ｓ３において、一度に１つの底部パネル４ａが、上述のアクチュエータによって底部パネル束から取り出され、例えば、テーピングまたは接着によって、ボックスのフレームを形成するボックスブランク３の上向きの縁部に固定され、したがって製品パッケージボックスの底部になる。この後、底部を設けられた製品パッケージボックス５は、ｓ４の段階において、適当なアクチュエータを用いて、底部側が下方になるように回転され、その後、製品パッケージボックス５は、製品梱包およびボックス閉鎖におけるさらなる処理のために、蓋をされていない製品パッケージボックスとして準備される。
【００１６】
図２は、本発明による解決策で使用される１つの装置を示し、図３は、図２による装置で実現可能な、本発明による１つの方法の異なる段階を示す。図２による装置および図３による方法は、図１の基本的な方法に従って機能する。本実施形態による装置は、平らに折り畳まれたスリーブ２ａの少なくとも１つまたは複数の供給ライン８を備える。好ましくは、異なる高さの製品パッケージボックスを形成するように意図されているスリーブ束２が供給ライン８に接続して充填され、この場合、装置に来る注文特有の要求に応じて、常に製品パッケージボックスにとって適切な高さのスリーブ２ａを、ボックス形成プロセスに送ることができる。
【００１７】
供給ライン８からボックス形成プロセスに取り込まれる平らに折り畳まれたスリーブ２ａは、段階ｓ１においてボックス形成装置７のボックス形成ライン１に移送され、そこで、スリーブ２ａは、段階ｓ２において開かれてボックスブランク３になり、底部パネル４ａをボックスブランク３に固定するために以降に移送される。ボックスブランク３が底部パネル４ａを固定するための段階ｓ３にあるとき、適切な底部パネル４ａが底部パネル束から分離され、例えば、テーピングまたは接着によって、上記ですでに言及したように、底部パネル４ａがボックスブランク３の上向きの縁部に固定されて、製品パッケージボックスの底部になる。この後、底部を設けられた製品パッケージボックス５は、段階ｓ４において、底部側が下方になるように回転され、その後、製品パッケージボックス５は、製品梱包およびボックス閉鎖におけるさらなる処理のために、完成した蓋をされていない製品パッケージボックスとして出力ライン９に移送される。
【００１８】
図２による装置およびそれに関連する図３による方法によって、下流の処理においてボックス内に梱包される製品の高さに応じて、複数の高さの製品パッケージボックス５を受注生産することができる。
【００１９】
図４および図５は、本発明による別の方法を示し、この方法は、図１によって提示される基本的な方法に基づいている。図４による方法およびそれに関連する装置は、図１による方法および図２による装置と他の点では類似しているが、この解決策では、ボックスの最終高さに予め切り出されたスリーブ２ａは使用されず、その代わりに、特定の注文に基づいて、最終製品パッケージボックス５の正確な高さに対応する正確に正しい幅にスリーブが切り出される。
【００２０】
この解決策では、ボックス形成ライン１の開始端近傍において、スタックまたは束１０の中に、折り畳み接着または他の方法によって作製され、その後平らに折り畳まれた２つ以上の製品パッケージボックス５の高さに対応する長いスリーブブランク１０ａがあり、それらのスリーブブランク１０ａの各々から、注文に応じて複数の注文特有のスリーブ２ａが切り出される。ボックス形成プロセスの開始時に、一度に１つのスリーブブランク１０ａが装置の裁断台上での処理のために束１０から分離され、段階ｓ０において、パッケージすべき製品に対応する正しい高さのスリーブ２ａが、装置に属する切断装置によって、スリーブブランク１０ａから最適な方法で特定の注文のために切り出される。切断は、例えば、レーザ切断またはギロチン切断によって装置内で実施することができる。
【００２１】
切断後の機能に関して、ボックス形成装置７および装置の関連するボックス形成ライン１は、図２および図３によって提示された解決策において指定されたものと本質的に同様である。この場合、切り出された平らに折り畳まれたスリーブ２ａは、ボックス形成ライン１上で段階ｓ２において開かれてボックスブランク３になり、ライン上を移送されて、底部パネル４ａを固定するために段階ｓ３に至り、その後、図２および図３による解決策に示されているように、以降に移送され段階ｓ４を介して出力ライン９に至る。
【００２２】
図５は、図４に示された解決策による方法に従って切り出されたスリーブブランク１０ａの最後のスリーブ片１０ｂが効率的に利用される解決策を提示しており、当該スリーブ片は、そうでなければ製品パッケージボックスの注文特有の高さにそのままで対応しなかった場合には拒絶され得る。この方法によれば、前のスリーブブランク１０ａから残っている最後のスリーブ片１０ｂが、次のスリーブ２ａの切断の前に、段階ｓ００において、例えば、テーピングによって、粘着紙を用いて、接着によって、ステープル止めによって、または、何らかの他の適切な締結方法を用いて、新しいスリーブブランク１０ａの始まりに固定される。したがって、このようにして連続スリーブブランク１０ａから切り出された第１のスリーブ２ａは、形成されるべき製品パッケージボックスの高さ方向における１つの延伸範囲を含むが、これは最終製品パッケージボックス５の耐久性を損なわず、パッケージ材料のコスト節約をもたらす。
【００２３】
スリーブスタック２から可能な限り正確な高さのスリーブ２ａを選択するため、またはスリーブブランク１０ａからスリーブを切り出すために、本発明による装置は、注文固有のデータを受信するための手段を設けられ、この手段によって、例えば、任意の所定の時点に必要とされる製品パッケージボックス５の高さに関するなど、製品パッケージボックス５が形成されるのに必要な特性に関する連続注文データおよび／または制御データ、すなわちオンラインデータが、ピッキングシステムから受信される。
【００２４】
図６は、横からと上方からとの斜めから見た、本発明による方法によって形成される製品パッケージボックス５の１つの底部および蓋構造１１の簡略図を示す。底部パネル４ａの締結フラップ１２ａが最初に平坦化され、すなわち圧縮されて薄くされ、その後、それらはパッケージボックスのフレーム３の上で屈曲され、フレーム３の外面に取り付けられるそれらの内面によって接着されるように、本質的に一体の底部パネル４ａがボックスブランク、すなわちパッケージボックスフレーム３に取り付けられる。
【００２５】
図７は、本発明による１つの解決策を示しており、フレーム３全体を囲む引裂帯１３が、引裂帯１３の他端が製品パッケージボックス５のフレームの１つのコーナから適切に出るように、例えば、製品パッケージボックス５の上縁に接着することによって、ボックスフレーム３の外面に固定される。パッケージボックスの蓋パネル４ｂのフラップ１２ｂ上には、引裂帯１３によって蓋４ｂを開くための印刷または刻印された指標１４がある。これに対応して、引裂帯１３を製品パッケージボックス５の底縁に接着することもでき、それによって、パッケージボックスの底部パネル４ａも、パッケージの蓋パネル４ｂに対応して引裂帯１３によって分離可能である。引裂帯１３は、平坦なフラップ１２ａ、１２ｂの内面に固定することもでき、内面は、パッケージボックスの形成段階においてボックスフレーム３の外面に接着される。この場合、各側部フラップおよび端部フラップは、それ自体の引裂帯１３を有する。好ましくは、蓋パネル４ｂは底部パネル４ａと本質的に同様である。
【００２６】
図８は、蓋パネル４ｂがどのようにして引裂帯１３によって製品パッケージボックス５のフレーム３から容易に分離するかを示している。蓋パネル４ｂの引裂帯１３を開いた後、蓋パネル４ｂの接着された平坦なフラップ１２ｂのみが製品パッケージボックス５のフレーム３に取り付けられたままである。
【００２７】
本発明の１つの好ましい実施形態による解決策では、引裂帯１３は、製品パッケージボックス５のフレーム３の３つの側面にのみ固定され、この場合、例えば引裂帯１３は、蓋パネル４ｂの３つのみのフラップ１２ｂとボックスフレーム３との間に存在する。そのような場合には、引裂帯１３が下にないフラップ１２ｂは、ボックスフレーム３に接着されて取り付けられたままであり、蓋パネル４ｂが３つの側面の引裂帯１３を用いて開かれたときにちょうどヒンジのように機能する。このようにヒンジ結合された蓋パネル４ｂは容易に再閉鎖することができ、製品パッケージボックス５は蓋を用いて再使用することができる。
【００２８】
本発明による解決策のこの説明では、製品を製品パッケージボックス５内に梱包することなどの、梱包プロセスの最終段階は提示されていない。しかしながら、その寸法および材料が底部パネル４ａと本質的に同様の蓋４ｂによって製品パッケージボックス５を閉じることが有利であると述べることができ、その場合、ボックスの底部パネル４ａと共に使用されるものとまったく同じ方法および材料が、製品パッケージボックス５の閉鎖に利用され得る。底部パネル４ａおよび蓋パネル４ｂの材料は、ボックスフレーム３であるスリーブ２ａの材料と同じ材料とすることができるが、適切には、これは本質的に、スリーブ２ａの材料よりも薄い材料であることが、コスト的に有利である。
【００２９】
前述したように、製品パッケージボックス５の蓋パネル４ｂおよび底部パネル４ａは有利には、特にボックスフレーム３であるスリーブ２ａがリサイクル可能な繊維材料から作成されている場合には、例えば、リサイクル可能な繊維材料から作製することができる。このようにして、製品パッケージボックス５全体を使用後にリサイクルに回すことは極めて容易である。製品パッケージボックス５に、ボックスの蓋４ａと底部４ｂとの両方を取り外すための引裂帯１３が設けられているとき、製品パッケージボックス５は、使用後は、ほとんどスペースをとらないリサイクル可能な繊維材料の束に容易に変換可能である。
【００３０】
本発明は上記の例にのみ限定されるものではなく、添付の特許請求の範囲内で変更可能であることは、当業者には明らかである。したがって、例えば、本方法のいくつかの段階は、上に提示されたものとは異なる順序であってもよく、さらに、本方法のいくつかの段階はなくてもよく、提示されない本方法のいくつかの段階が含まれてもよい。さらに、本方法のいくつかの段階は、上に提示されたものより多くのまたはより少ない機能を含んでもよい。
【００３１】
本方法で作成される製品パッケージボックスは、上に提示したものとは異なってもよいことも、当業者には明らかである。しかしながら、最も単純で最も一般的な製品パッケージボックスは、すべての図において実施形態として提示されている長方形である。しかしながら、パッケージの形状は、ボックスの長方形タイプの形状以外であってもよい。したがって、形状は、例えば、スリーブブランクに予め作成されている折り目に応じて、例えば多角形であってもよく、または同じく、円形もしくは楕円形であってもよい。
【００３２】
当業者であれば、製品パッケージボックスの底部パネルは、テーピングまたは接着以外の方法で固定されてもよく、例えば、底部パネルは、接着剤を与えられたクラフト紙によって固定されてもよく、または、図に示された実施形態のように底部パネルに狭いフラップが設けられている場合、底部パネルは、そのフラップによってボックスフレームの外面に接着されることがさらに明らかである。
【００３３】
本方法によって作成された製品パッケージボックスは、リサイクル可能な繊維材料以外の材料から成ってもよいことが、当業者にはなおさらに明らかである。したがって、製品パッケージボックスは、段ボール以外の何らかの折り畳み可能な材料から作製することができる。製品パッケージボックスは、例えば、異なるボード、ボール紙もしくは紙から、または同じく、織物材料、プラスチックもしくは金属、または異なる材料の組み合わせから作製されてもよい。ボックスの側壁および蓋、ならびにまた底部は、互いに同じ材料から成ってもよいし、異なる材料から成ってもよい。
【図１】
2018538183.tif 000003
【図２】
2018538183.tif 000004
【図３】
2018538183.tif 000005
【図４】
2018538183.tif 000006
【図５】
2018538183.tif 000007
【図６】
2018538183.tif 000008
【図７】
2018538183.tif 000009
【図８】
2018538183.tif 000010
【国際調査報告】
2018538183.tif 000011
2018538183.tif 000012
2018538183.tif 000013
2018538183.tif 000014